(57)【要約】【課題】床面に対する清掃が効果的に行えるようにした電気掃除機用吸込具及びそれを用いた電気掃除機を提供することを目的としている。【解決手段】吸込口２１を有する吸込具本体１９と、前記吸込具本体１９に設けられたワックス２４とを備え、床面１３にワックスを塗布する構成としたもので、電気掃除機を使用して清掃するのと同時に、床面１３にワックスが均一に塗布されることで、特にフローリング等のつやだし効果も実現でき、清掃が効果的に行える電気掃除機用吸込具を提供できるものである。また、電気掃除機を使用して清掃するのと同時に、床面１３にワックスが均一に塗布され、床面の清掃が効果的に行える電気掃除機を提供できる。【選択図】図２
2005237644.tif 000002
【特許請求の範囲】
【請求項１】
吸込口を有する吸込具本体と、前記吸込具本体に設けられたワックスとを備え、床面にワックスを塗布する構成とした電気掃除機用吸込具。
【請求項２】
吸込口を有する吸込具本体と、前記吸込具本体に設けられ床面の塵埃を除去する塵埃除去体と、前記吸込具本体に設けられたワックスとを備え、前記塵埃除去体が前記ワックスと接触することで、前記塵埃除去体が床面と接触したとき、床面にワックスを塗布する構成とした電気掃除機用吸込具。
【請求項３】
吸込口内にパイルで形成されたブラシ体を周面に有する回転体を備え、前記ブラシ体を塵埃除去体とし、前記回転体が回転すると前記塵埃除去体がワックスに接触する構成とした請求項２記載の電気掃除機用吸込具。
【請求項４】
ワックスに抗菌加工を施した請求項１〜３のいずれか１項に記載の電気掃除機用吸込具。
【請求項５】
ワックスを略円柱形状とした請求項１〜３のいずれか１項に記載の電気掃除機用吸込具。
【請求項６】
ワックスをシート状とした請求項１〜３のいずれか１項に記載の電気掃除機用吸込具。
【請求項７】
ワックスを着脱自在とした請求項１〜６のいずれか１項に記載の電気掃除機用吸込具。
【請求項８】
ブラシ体を、長いパイルと短いパイルとで形成した請求項３記載の電気掃除機用吸込具。
【請求項９】
長いパイルを極細繊維で構成した請求項８記載の電気掃除機用吸込具。
【請求項１０】
ブラシ体のパイルを縮れ毛で構成した請求項３、８、９のいずれか１項に記載の電気掃除機用吸込具。
【請求項１１】
ブラシ体のパイルの先端を略球状に形成した請求項３、８〜１０のいずれか１項に記載の電気掃除機用吸込具。
【請求項１２】
ブラシ体に抗菌剤を添加、あるいは抗菌性の皮膜を施した請求項３、８〜１１のいずれか１項に記載の電気掃除機用吸込具。
【請求項１３】
弾性体にて、ワックスをブラシ体の先端部に押しつけるようにした請求項３、８〜１２のいずれか１項に記載の電気掃除機用吸込具。
【請求項１４】
弾性体として、ゴム等の非金属部材を用いた請求項１３記載の電気掃除機用吸込具。
【請求項１５】
弾性体として、バネを用いた請求項１３記載の電気掃除機用吸込具。
【請求項１６】
バネとして、コイルバネを用いた請求項１５記載の電気掃除機用吸込具。
【請求項１７】
バネとして、板バネを用いた請求項１５記載の電気掃除機用吸込具。
【請求項１８】
ワックスの減り具合を目視できるように、吸込具本体の一部に透明又は半透明な材料からなる部材を設けた請求項１〜１７のいずれか１項に記載の電気掃除機用吸込具。
【請求項１９】
塵埃を吸引する電動送風機を内蔵した掃除機本体を備え、請求項１〜１８のいずれか１項に記載の電気掃除機用吸込具と、前記電動送風機とを連通するように構成した電気掃除機。
【発明の詳細な説明】
【技術分野】
【０００１】
本発明は、電気掃除機用吸込具とそれが接続される電気掃除機に関するものである。
【背景技術】
【０００２】
従来、この種の電気掃除機で、本体、ホース、延長管、吸込具などに抗菌処理を施したものはあった（例えば、特許文献１参照）。
【特許文献１】特開平６−９８８３９号公報
【発明の開示】
【発明が解決しようとする課題】
【０００３】
しかしながら上記従来の電気掃除機は、電気掃除機自体に抗菌処理を施したもので、電気掃除機自体に対する抗菌・防錆効果はあるものの、床面に対する清掃効果には何ら寄与していなかった。
【０００４】
本発明は上記課題を解決するもので、床面に対する清掃が効果的に行えるようにした電気掃除機用吸込具及びそれを用いた電気掃除機を提供することを目的としている。
【課題を解決するための手段】
【０００５】
上記従来の課題を解決するために、本発明の電気掃除機用吸込具は、吸込口を有する吸込具本体と、前記吸込具本体に設けられたワックスとを備え、床面にワックスを塗布する構成としたもので、電気掃除機を使用して床面を清掃するのと同時に、床面にワックスが均一に塗布されることで、特にフローリング等のつやだし効果も実現でき、清掃が効果的に行えるものである。
【０００６】
また、本発明の電気掃除機用吸込具は、吸込口を有する吸込具本体と、前記吸込具本体に設けられ床面の塵埃を除去する塵埃除去体と、前記吸込具本体に設けられたワックスとを備え、前記塵埃除去体が前記ワックスと接触することで、前記塵埃除去体が床面と接触したとき、床面にワックスを塗布する構成としたもので、電気掃除機を使用して床面を清掃するのと同時に、床面にワックスが均一に塗布されることで、特にフローリング等のつやだし効果も実現でき、清掃が効果的に行えるものである。
【０００７】
また、本発明の電気掃除機は、塵埃を吸引する電動送風機を内蔵した掃除機本体を備え、請求項１〜１８のいずれか１項に記載の電気掃除機用吸込具と、前記電動送風機とを連通するように構成したもので、電気掃除機を使用して清掃するのと同時に、床面にワックスが均一に塗布され、床面の清掃が効果的に行えるものである。
【発明の効果】
【０００８】
本発明によれば、床面に対する清掃が効果的に行えるようにした電気掃除機用吸込具ならびに電気掃除機を提供できる。
【発明を実施するための最良の形態】
【０００９】
第１の発明は、吸込口を有する吸込具本体と、前記吸込具本体に設けられたワックスとを備え、床面にワックスを塗布する構成としたもので、電気掃除機を使用して床面を清掃するのと同時に、床面にワックスが均一に塗布されることで、特にフローリング等のつやだし効果も実現でき、清掃が効果的に行えるものである。
【００１０】
第２の発明は、吸込口を有する吸込具本体と、前記吸込具本体に設けられ床面の塵埃を除去する塵埃除去体と、前記吸込具本体に設けられたワックスとを備え、前記塵埃除去体が前記ワックスと接触することで、前記塵埃除去体が床面と接触したとき、床面にワックスを塗布する構成としたもので、電気掃除機を使用して清掃するのと同時に、床面にワックスが均一に塗布されることで、特にフローリング等のつやだし効果も実現でき、清掃が効果的に行えるものである。
【００１１】
第３の発明は、吸込口内にパイルで形成されたブラシ体を周面に有する回転体を備え、前記ブラシ体を塵埃除去体とし、前記回転体が回転すると前記塵埃除去体がワックスに接触する構成としたもので、回転体が回転し、塵埃除去体がワックスに接触した後に、塵埃除去体が床面に接するたびに、前記抗菌剤入りワックスが均一に塗布されることで、特にフローリング等のつやだし効果も実現でき、清掃が効果的に行えるものである。
【００１２】
第４の発明は、ワックスに抗菌加工を施したもので、床面に対し抗菌剤入りワックスが均一に塗布され、床面の除菌が効果的に行える。また、塵埃除去体に付着した菌類も繁殖することがなく、床面に再付着することを防止することができる。
【００１３】
第５の発明は、ワックスを略円柱形状としたもので、ワックスが容易に回転し、ワックスとブラシ体との接触が円周上で行われ、かた減り等がなく均一に減っていき、床面に対し常に均一に塗布できる。
【００１４】
第６の発明は、ワックスをシート状としたもので、ブラシ体との接触面積を増すことができ、ワックスの塗布量のばらつきが減り、床面に対し常に均一に塗布できる。
【００１５】
第７の発明は、ワックスを着脱自在としたもので、ワックスが消耗した際の、付け替えが容易になる。
【００１６】
第８の発明は、ブラシ体を、長いパイルと、短いパイルで形成したもので、長いパイルのみがワックスと接触するので、ワックスの消耗量が減り、長期間、床面へのワックス塗布が効果的に行える。
【００１７】
第９の発明は、長いパイルを極細繊維で構成したもので、長いパイルの極細繊維の毛先が床面の細い溝内部まで入り込み、床面へのワックス塗布が表面だけにとどまらず溝内部まで効果的に行える。
【００１８】
第１０の発明は、ブラシ体のパイルを縮れ毛で構成したもので、縮れ毛がワックスと接触する際に、毛の縮れ部分にワックスがからみ付き、付着が確実に行われ、塗布量のばらつきが減り、床面に対し常に均一に塗布でき、床面へのワックス塗布が効果的に行える。
【００１９】
第１１の発明は、ブラシ体のパイルの先端を略球状に形成したもので、略球状部がワックスと接触する際に、略球状部の周囲にワックスがからみ付き、付着が確実に行われ、塗布量のばらつきが減り、床面に対し常に均一に塗布でき、床面へのワックス塗布が効果的に行える。
【００２０】
第１２の発明は、ブラシ体に抗菌剤を添加、あるいは抗菌性の皮膜を施したもので、床面に塗布する抗菌剤入りワックスとの相乗効果により、より抗菌性能が向上し、床面の除菌が効果的に行える。また、塵埃除去体に付着した菌類も繁殖することがなく、床面に再付着することを防止することができる。
【００２１】
第１３の発明は、ブラシ体の先端部に弾性体で押しつけるようにしたもので、ワックスが消耗するのに追従して、常に一定に塵埃除去体並びにブラシ体の先端部が接触するので、ワックスの塗布量ばらつきが減り、床面に対し常に均一に塗布でき、床面の除菌が効果的に行える。
【００２２】
第１４〜１７の発明は、弾性体として、ゴム等の非金属部材、バネ、コイルバネ或いは板バネを用いるもので、ワックスが消耗するのに追従して、常に一定にブラシ体の先端部が接触するので、ワックスの塗布量ばらつきが減り、床面に対し常に均一に塗布でき、床面の除菌が効果的に行える。
【００２３】
第１８の発明は、ワックスの減り具合を目視できるように、吸込具本体の一部に透明又は半透明な材料からなる部材を設けたもので、ワックスの消耗状態が見え、使用者にとって使用実感が得られるとともに、交換時期が容易に判断できる。
【００２４】
第１９の発明は、塵埃を吸引する電動送風機を内蔵した掃除機本体を備え、請求項１〜１８のいずれか１項に記載の電気掃除機用吸込具と、前記電動送風機とを連通するように構成した電気掃除機もので、電気掃除機を使用して清掃するのと同時に、床面にワックスが均一に塗布され、床面の清掃が効果的に行える電気掃除機を提供できる。
【００２５】
以下、本発明の実施の形態について、図面を参照しながら説明する。なお、この実施の形態によって本発明が限定されるものではない。
【００２６】
（実施の形態１）
本発明の第１の実施の形態における電気掃除機について、図１〜１０を用いて説明する。
【００２７】
図１は本発明の第１の実施の形態における電気掃除機の全体図を示すものである。
【００２８】
図１において、吸引風を発する電動送風機１２を内蔵した掃除機本体１１の吸引口１５と電動送風機１２の吸気口１２ａの間には集塵室１４が設けられている。吸引口１５にはホース１６、延長管１７が接続され、延長管１７の先端に床面１３の塵埃を吸引清掃する吸込具１８が接続されている。
【００２９】
次に、図２〜図１０を用いて吸込具１８について説明する。
【００３０】
下方に開口部２０を有する吸込具本体１９で構成され、前記吸込具本体１９の内部には、前記開口部２０に連通する吸込口２１を有している。前記吸込口２１内には、電動機（図示せず）または吸引風により回転する回転体である回転ブラシ２２が設けてある。前記回転ブラシ２２には、複数のナイロンからなる塵埃除去体であるブラシ体２３が、前記回転ブラシ２２の長手方向にわたって周面に設けられている。
【００３１】
また、前記吸込口２１内の前方には、ワックス２４が着脱自在に取付られている。
【００３２】
以下、動作・作用について説明する。
【００３３】
回転ブラシ２２が矢印の方向（反時計回り）に回転すると、ブラシ体２３の先端側は、前記ワックス２４に接触する。そのため、ワックスが前記ブラシ体２３に付着するが、その後、ワックスが付着したブラシ体２３が床面１３に接触するため、前記抗菌剤入りワックスが均一に塗布されるもので、床面の清掃が効果的に行えるものである。なお、前記ブラシ体２３により床面１３より掻き上げられた塵埃は、前記電動送風機１２が発する吸引風により、前記開口部２０より吸引され、吸込口２１を介して、前記集塵室１４にて捕集される。
【００３４】
なお、前記ワックス２４や前記ブラシ体２３に抗菌処理されていると、床面１３に対し抗菌剤入りワックス２４が均一に塗布され、床面１３の除菌が効果的に行えるとともに、ブラシ体２３に付着した菌類も繁殖することがなく、床面１３に再付着することを防止することができる。
【００３５】
図３は、ワックス２４を略円柱形状としたもので、ワックス２４が容易に回転し、ワックス２４とブラシ体２３との接触が円周上で行われ、かた減り等がなく均一に減っていき、床面１３に対し常に均一に塗布でき、床面１３の清掃が効果的に行える。また、ブラシ体２３の先端部に弾性体２５で押しつけるようにしたもので、ワックス２４が消耗するのに追従して、常に一定にブラシ体２３の先端部が接触するので、ワックス２４の塗布量ばらつきが減り、床面１３に対し常に均一に塗布でき、床面１３の清掃が効果的に行える。
【００３６】
なお、弾性体２５として、ゴム等の非金属部材、バネ、コイルバネ或いは板バネを用いることで、ワックス２４が消耗するのに追従して、常に一定にブラシ体２３の先端部が接触するので、ワックス２４の塗布量ばらつきが減り、床面１３に対し常に均一に塗布でき、床面１３の除菌が効果的に行えるものである。
【００３７】
さらに、ブラシ体２３に抗菌剤を添加、あるいは抗菌性の皮膜２３ａを施したことで、ブラシ体２３に付着した菌類も繁殖することがなく、床面１３に再付着することを防止することができる。
【００３８】
図４は、ワックス２４をシート状としたもので、ブラシ体２３との接触面積を増すことができ、ワックス２４の塗布量のばらつきが減り、床面１３に対し常に均一に塗布でき、床面の除菌が効果的に行える。また、ワックス２４の減り具合を目視できるように、吸込具本体１９の一部に透明又は半透明な部材からなる窓部材２６を設けたもので、ワックス２４の消耗状態が見え、使用者にとって使用実感が得られるとともに、交換時期が容易に判断できる。
【００３９】
図５は、ワックス２４を着脱自在としたもので、ワックス２４が消耗した際の、付け替えが容易になるものである。
【００４０】
図６は、ブラシ体２３を、長いパイル２３ａと、短いパイル２３ｂで形成したもので、長いパイル２３ａのみがワックス２４と接触するので、ワックス２４の消耗量が減り、長期間、床面１３へのワックス塗布が効果的に行える。
【００４１】
図７は、長いパイル２３ａを極細繊維で構成したもので、長いパイル２３ａの極細繊維の毛先が、床面１３の細い溝内部まで入り込み、床面１３へのワックス塗布が表面だけにとどまらず溝内部まで効果的に行える。
【００４２】
図８は、ブラシ体２３のパイル２３ｃを縮れ毛で構成したもので、縮れ毛がワックス２４と接触する際に、毛の縮れ部分にワックスがからみ付き、付着が確実に行われ、塗布量のばらつきが減り、床面１３に対し常に均一に塗布でき、床面１３へのワックス塗布が効果的に行える。
【００４３】
図９は、ブラシ体２３のパイルの先端を略球状２３ｄに形成したもので、略球状部２３ｄがワックスと接触する際に、略球状部２３ｄの周囲にワックスがからみ付き、付着が確実に行われ、塗布量のばらつきが減り、床面に対し常に均一に塗布でき、床面１３へのワックス塗布が効果的に行える。
【００４４】
なお、本実施の形態においては、塵埃除去体を複数のナイロンからなるブラシ体２３としているが、ゴム状のものでもよい。また、塵埃除去体が設けられておらず、開口部２０からたんに塵埃を吸い込む形態の吸込具本体１９の下面にワックス２４を取付け、清掃時に、前記ワックス２４が床面１３と接触するように構成しても構わない。
【産業上の利用可能性】
【００４５】
以上のように本発明にかかる電気掃除機用吸込具及び電気掃除機は、床面へのつやだし効果を著しく向上させるため、特にフローリング等の床面清掃に有用なものである。
【図面の簡単な説明】
【００４６】
【図１】本発明の実施の形態１における電気掃除機の斜視図
【図２】同電気掃除機の吸込具部分の一部断面図
【図３】同他の電気掃除機の吸込具部分の一部断面図
【図４】同他の電気掃除機の吸込具部分の一部断面図
【図５】同他の電気掃除機の吸込具部分の一部断面図
【図６】（ａ）同他の電気掃除機の吸込具部分の一部断面図（ｂ）図６（ａ）のＡ部拡大図
【図７】（ａ）同他の電気掃除機の吸込具部分の一部断面図（ｂ）図６（ａ）のＡ部拡大図
【図８】（ａ）同他の電気掃除機の吸込具部分の一部断面図（ｂ）図６（ａ）のＡ部拡大図
【図９】（ａ）同他の電気掃除機の吸込具部分の一部断面図（ｂ）図６（ａ）のＡ部拡大図
【符号の説明】
【００４７】
１９  吸込具本体
２０  開口部
２１  吸込口
２２  回転ブラシ
２３  ブラシ体（塵埃除去体）
２４  ワックス
【図１】
2005237644.tif 000003
【図２】
2005237644.tif 000004
【図３】
2005237644.tif 000005
【図４】
2005237644.tif 000006
【図５】
2005237644.tif 000007
【図６】
2005237644.tif 000008
【図７】
2005237644.tif 000009
【図８】
2005237644.tif 000010
【図９】
2005237644.tif 000011